(57)【要約】【課題】  不要なＲＰＲ冗長機能の起動による利用可能帯域の減少や信号の瞬断を防止できる冗長機能制御方法及びそれを用いた伝送装置を提供することを目的とする。【解決手段】  本発明は、ラインレートに対してパスレートが遅い運用形態で運用されているリングネットワークにて、ラインエラー検出により現用回線から予備回線にライン切替えを行う第１の冗長機能とパスエラー検出によりパス切替えを行う第２の冗長機能との冗長機能制御方法において、ラインエラー検出からパスエラー検出までの間にパスエラー検出のマスクを行って第２の冗長機能を停止させる。【選択図】    図４
2007096949.tif 000002
【特許請求の範囲】
【請求項１】
ラインレートに対してパスレートが遅い運用形態で運用されているリングネットワークにて、ラインエラー検出により現用回線から予備回線にライン切替えを行う第１の冗長機能とパスエラー検出によりパス切替えを行う第２の冗長機能との冗長機能制御方法において、
前記ラインエラー検出から前記パスエラー検出までの間に前記パスエラー検出のマスクを行って前記第２の冗長機能を停止させることを特徴とする冗長機能制御方法。
【請求項２】
請求項１記載の冗長機能制御方法において、
前記第１の冗長機能で前記現用回線から前記予備回線にライン切替えを行っている状態で前記予備回線のラインエラーを検出したとき前記パスエラー検出のマスクを停止して第２の冗長機能を動作させることを特徴とする冗長機能制御方法。
【請求項３】
ラインレートに対してパスレートが遅い運用形態で運用されているリングネットワークを構成し、ラインエラー検出により現用回線から予備回線にライン切替えを行う第１の冗長機能とパスエラー検出によりパス切替えを行う第２の冗長機能を有する伝送装置において、
前記現用回線のラインエラーを検出するラインエラー検出手段と、
前記現用回線のラインエラー検出により前記現用回線から前記予備回線に切替えて前記第１の冗長機能を動作させるスイッチ手段と、
前記スイッチ手段の出力信号におけるパスエラーを検出するパスエラー検出手段と、
前記ラインエラー検出手段による前記現用回線のラインエラー検出から前記パスエラー検出手段によるパスエラーの検出までの間に前記パスエラー検出手段の動作をマスクするマスク手段を
有することを特徴とする伝送装置。
【請求項４】
請求項３記載の伝送装置において、
前記マスク手段は、前記スイッチ手段で前記予備回線から前記現用回線に切戻すとき、切戻し開始から前記パスエラー検出手段によるパスエラー検出までの間に前記パスエラー検出手段の動作をマスクすることを特徴とする伝送装置。
【請求項５】
請求項３または４記載の伝送装置において、
前記マスク手段は、前記スイッチ手段が前記現用回線から前記予備回線にライン切替えを行っている状態で前記予備回線のラインエラーを検出したとき前記パスエラー検出のマスクを停止して第２の冗長機能を動作させることを特徴とする伝送装置。
【発明の詳細な説明】
【技術分野】
【０００１】
本発明は、冗長機能制御方法及びそれを用いた伝送装置に関し、ラインレートに対してパスレートが遅い運用形態で運用されているリングネットワークにおける冗長機能制御方法及びそれを用いた伝送装置に関する。
【背景技術】
【０００２】
近年、ＩＰネットワークの信頼性への要求が高まっており、ＬＡＮ（本明細書中のＬＡＮと記載の部分はＷＡＮやＭＡＮを含む）におけるリング切り替えを行う機能を持つＲＰＲ（Ｒｅｓｉｌｉｅｎｔ  Ｐａｃｋｅｔ  Ｒｉｎｇ）技術がその信頼性を確保する技術として注目されている。ＲＰＲはイーサネット（登録商標）フレームをＲＰＲフレームにエンキャプスレーションし、ＲＰＲリングネットワークとして構成する。ＲＰＲの冗長機能としてはＳｔｅｅｒｉｎｇ、Ｗｒａｐｐｉｎｇ方式がＩＥＥＥ８０２．１７で標準化されており、ステーション間でコントロールフレームを用いてパスの障害情報を通知することでＳＯＮＥＴ（Ｓｙｎｃｈｒｏｎｏｕｓ  Ｏｐｔｉｃａｌ  Ｎｅｔｗｏｒｋ）またはＳＤＨ（Ｓｙｎｃｈｒｏｎｏｕｓ  Ｄｉｇｉｔａｌ  Ｈｉｅｒａｒｃｈｙ）等の同期網伝送システムに近い信頼性を実現している。なお、以下、ＳＯＮＥＴまたはＳＤＨというところを単にＳＯＮＥＴという。
【０００３】
一方、ＳＯＮＥＴ伝送ネットワークは予備回線（Ｐ）を冗長回線として確保し、ラインの障害発生時に信号を現用回線（Ｗ）から予備回線に切り替え、障害復旧時に予備回線から現用回線に切戻すというＳＯＮＥＴ冗長機能を備えており、現在までに莫大なインフラが築かれている。
【０００４】
現状では、上述したＲＰＲ技術を安易に、かつ、効率的に実現する場合、莫大な既存ＳＯＮＥＴインフラを物理層として流用することが有効な手段であると考えられている。しかし、既存のＳＯＮＥＴインフラをＲＰＲの物理層として利用してＲＰＲリングネットワークを実現した場合、障害発生時にＳＯＮＥＴ冗長機能とＲＰＲ冗長機能がそれぞれ独立して起動し競合が起きるという問題がある。
【０００５】
この問題に対して、特許文献１に、ＳＯＮＥＴ冗長機能の一つであるＢＬＳＲ（Ｂｉ−ｄｉｒｅｃｔｉｏｎａｌ  Ｌｉｎｅ−Ｓｗｉｔｃｈｅｄ  Ｒｉｎｇ）冗長機能を有効にする場合はＲＰＲ冗長をマスクし、ＢＬＳＲ冗長機能をマスクする場合はＲＰＲ冗長を有効にする、という２つのモードをＳＯＮＥＴのオーバーヘッドを用いて静的に設定することで、ＳＯＮＥＴ冗長機能とＲＰＲ冗長機能の競合を制御する方法が記載されている。
【特許文献１】特開２００４−２３４８０号公報
【発明の開示】
【発明が解決しようとする課題】
【０００６】
図１（Ａ），（Ｂ），（Ｃ）に、既存のＳＯＮＥＴインフラをＲＰＲの物理層として利用してＲＰＲリングネットワークを実現するＲＰＲオーバーＳＯＮＥＴネットワークの構成図を示す。図１（Ａ）において、ステーション１，２，３は現用回線（Ｗ）と予備回線（Ｐ）によりリングネットワークを構成している。ステーション１からステーション３にデータαを送出し、ステーション１からステーション２にデータβを送出する。
【０００７】
ここで、図１（Ｂ）に示すように、ステーション１，２間の現用回線（Ｗ）で障害が発生した場合について説明する。ステーション２では、図２（Ａ）に示す現用回線（Ｗ）の光インタフェース部４はラインエラーを検出してＣＰＵ部６に通知する。これにより、ＣＰＵ部６はＳＯＮＥＴ冗長機能を起動して、スイッチ部７に現用回線（Ｗ）の光インタフェース部４から予備回線（Ｐ）の光インタフェース部５に切替えてＲＰＲ部８への接続を行う。
【０００８】
このＳＯＮＥＴ冗長機能の起動後にＳＯＮＥＴ冗長完了でＲＰＲのパスは障害復旧するが、ステーション２におけるＲＰＲ部８はＳＯＮＥＴ冗長が完了するまでにパスエラーを検出してしまい、ＲＰＲ冗長機能も起動してしまう。
【０００９】
このＲＰＲ冗長機能の起動によって、図１（Ｃ）に示すように、データαはステーション１からステーション３を経てステーション２に至るルートに切替えられる。このため、ステーション１，２間の利用可能帯域が減少し、余計な冗長起動による信号の瞬断（ヒット）が発生してしまう。
【００１０】
次に、障害復旧した場合について説明する。図２（Ｂ）に示すＣＰＵ部６は、コマンド入力もしくはＷＴＲ（Ｗａｉｔ  Ｔｏ  Ｒｅｓｔｏｒｅ：障害復旧から切戻しを開始する時間）通知により、スイッチ部７に予備回線（Ｐ）の光インタフェース部５から現用回線（Ｗ）の光インタフェース部４に切戻す。ＲＰＲ部８では光インタフェース部５から光インタフェース部４への切戻し時にポインタの付け替えを行うためにパスエラーを検出し、ＲＰＲ冗長機能が起動してしまう。
【００１１】
このようにＳＯＮＥＴ冗長機能でパスの障害が復旧するにもかかわらず、不要なＲＰＲ冗長機能が起動することで利用可能帯域の減少、余計な冗長起動による信号の瞬断が発生してしまうという問題があった。
【００１２】
この課題に対してＲＰＲのホールドオフタイマ（Ｈｏｌｄ  ｏｆｆ  Ｔｉｍｅｒ：パス障害を検出してからＲＰＲ冗長機能が起動するまでの時間）を大きくし、ＲＰＲ冗長機能の起動を遅らせる方法があるが、この方法では本来のＲＰＲ冗長機能の起動が遅くなるという問題があった。
【００１３】
また、特許文献１に記載のものは、ＲＰＲ冗長機能を無効に設定した状態で、ＳＯＮＥＴ回線の現用／予備両方に障害（二重障害）が発生した場合、ＲＰＲ冗長機能が起動しないという問題があった。
【００１４】
本発明は、上記の点に鑑みなされたものであり、不要なＲＰＲ冗長機能の起動による利用可能帯域の減少や信号の瞬断を防止できる冗長機能制御方法及びそれを用いた伝送装置を提供することを目的とする。
【課題を解決するための手段】
【００１５】
本発明は、ラインレートに対してパスレートが遅い運用形態で運用されているリングネットワークにて、ラインエラー検出により現用回線から予備回線にライン切替えを行う第１の冗長機能とパスエラー検出によりパス切替えを行う第２の冗長機能との冗長機能制御方法において、
前記ラインエラー検出から前記パスエラー検出までの間に前記パスエラー検出のマスクを行って前記第２の冗長機能を停止させることにより、不要なＲＰＲ冗長機能の起動による利用可能帯域の減少や信号の瞬断を防止することができる。
【００１６】
前記冗長機能制御方法において、
前記第１の冗長機能で前記現用回線から前記予備回線にライン切替えを行っている状態で前記予備回線のラインエラーを検出したとき前記パスエラー検出のマスクを停止して第２の冗長機能を動作させることにより、現用回線と予備回線の二重障害が発生した場合に第２の冗長機能で対応することができる。
【００１７】
また、本発明は、ラインレートに対してパスレートが遅い運用形態で運用されているリングネットワークを構成し、ラインエラー検出により現用回線から予備回線にライン切替えを行う第１の冗長機能とパスエラー検出によりパス切替えを行う第２の冗長機能を有する伝送装置において、
前記現用回線のラインエラーを検出するラインエラー検出手段と、
前記現用回線のラインエラー検出により前記現用回線から前記予備回線に切替えて前記第１の冗長機能を動作させるスイッチ手段と、
前記スイッチ手段の出力信号におけるパスエラーを検出するパスエラー検出手段と、
前記ラインエラー検出手段による前記現用回線のラインエラー検出から前記パスエラー検出手段によるパスエラーの検出までの間に前記パスエラー検出手段の動作をマスクするマスク手段を有することにより、不要なＲＰＲ冗長機能の起動による利用可能帯域の減少や信号の瞬断を防止することができる。
【００１８】
前記伝送装置において、
前記マスク手段は、前記スイッチ手段で前記予備回線から前記現用回線に切戻すとき、切戻し開始から前記パスエラー検出手段によるパスエラー検出までの間に前記パスエラー検出手段の動作をマスクすることにより、切戻し時の不要なＲＰＲ冗長機能の起動による信号の瞬断を防止することができる。
【００１９】
前記伝送装置において、
前記マスク手段は、前記スイッチ手段が前記現用回線から前記予備回線にライン切替えを行っている状態で前記予備回線のラインエラーを検出したとき前記パスエラー検出のマスクを停止して第２の冗長機能を動作させることにより、現用回線と予備回線の二重障害が発生した場合に第２の冗長機能で対応することができる。
【発明の効果】
【００２０】
本発明によれば、不要なＲＰＲ冗長機能の起動による利用可能帯域の減少や信号の瞬断を防止することができる。
【発明を実施するための最良の形態】
【００２１】
以下、図面に基づいて本発明の実施形態について説明する。
【００２２】
＜ＲＰＲオーバーＳＯＮＥＴネットワークの構成＞
図３は、本発明の伝送装置を用いたＲＰＲオーバーＳＯＮＥＴネットワークの一実施形態の構成図を示す。同図中、ステーション１０，２０，３０はＳＯＮＥＴ装置である。ステーション１０，２０間は光ファイバの現用回線（Ｗ）４０と予備回線（Ｐ）４１により相互に接続され、ステーション２０，３０間は光ファイバの現用回線（Ｗ）４２と予備回線（Ｐ）４３により相互に接続され、ステーション３０，１０間は光ファイバの現用回線（Ｗ）４４と予備回線（Ｐ）４５により相互に接続されている。
【００２３】
ステーション１０，２０，３０それぞれは同一構成である。ステーション１０は、光インタフェース部１１〜１４と、スイッチ部１５と、ＲＰＲ部１６と、ＣＰＵ部１７から構成されている。
【００２４】
光インタフェース部１１，１２はそれぞれ右側の現用回線４０と予備回線４１に接続されて光信号の送受信を行い、光インタフェース部１３，１４はそれぞれ左側の現用回線４４と予備回線４５に接続されてＳＯＮＥＴ信号の送受信を行う。スイッチ部１５は光インタフェース部１１〜１４及びＲＰＲ部１６から供給される信号のクロスコネクトを行う。
【００２５】
ＲＰＲ部１６は外部のＬＡＮと接続されており、ＬＡＮから供給されるＬＡＮ形式の信号をＳＯＮＥＴ形式に変換してスイッチ部１５に供給すると共に、スイッチ部１５から供給されるＳＯＮＥＴ形式の信号をＬＡＮ形式に変換してＬＡＮに送出する。ＣＰＵ部１７は、ステーション全体の管理及び制御を行う。
【００２６】
＜障害発生時の動作＞
ラインレートに対してパスレートが遅い運用形態にて運用されているＲＰＲオーバーＳＯＮＥＴネットワークにおいては、回線障害発生時に光インタフェース部にてラインエラーを検出するレート（ラインエラー検出レート）に対して、ＲＰＲ部でパスエラー検出をするレート（パスエラー検出レート）が遅くなるため、パスエラー検出時間はラインエラー検出時間より大きくなる。この検出時間差を利用し、ラインエラー検出からパスエラー検出までの時間内でＣＰＵ部からＲＰＲ冗長マスク信号を送出する。
【００２７】
図４は、本発明の冗長機能制御方法の障害発生時の動作を説明するための構成図を示す。同図中、図３と同一部分には同一符号を付す。また、図５は、障害発生時の動作を説明するための信号タイミングチャートを示す。図５においては、ラインレートがＯＣ４８（約２．５Ｇｂｐｓ）、パスレートがＳＴＳ１２Ｃ（約６００Ｍｂｐｓ）、ＢＥＲ＝１×１０−５の場合を示している。
【００２８】
図４において、時刻ｔ０で現用回線４０において障害が発生すると、光インタフェース部１１は約８ｍｓｅｃ後の時刻ｔ１で光断等のラインエラーを検出し、図５（Ａ），（Ｃ）に示すようにラインエラー検出信号をハイレベルとする。光インタフェース部１１はラインエラー検出信号から図５（Ｄ）に示すように時刻ｔ２にハイレベルとなる割込信号を生成してＣＰＵ部１７に供給する。
【００２９】
これにより、ＣＰＵ部１７は図５（Ｅ）に示すように時刻ｔ３にハイレベルとなるライン切替信号及びＲＰＲ冗長マスク信号を生成し、ライン切替信号をスイッチ部１５に供給し、ＲＰＲ冗長マスク信号をＲＰＲ部１６に供給する。スイッチ部１５はＲＰＲ部１６への接続を現用回線（Ｗ）の光インタフェース部１１から予備回線（Ｐ）の光インタフェース部１２に切替えるＳＯＮＥＴ冗長機能を動作させる。この切替えに時刻ｔ３から時刻ｔ５までの約２０ｍｓｅｃを要する。
【００３０】
ＲＰＲ部１６は、ＳＯＮＥＴ形式の信号を終端し、ＳＯＮＥＴのＰＯＨ（Ｐａｔｈ  Ｏｖｅｒｈｅａｄ）のＢ３バイトを用いたパスエラー検出を行っている。ここで、図６（Ａ），（Ｂ），（Ｃ）にＳＯＮＥＴの同期転送モジュールＳＴＳ−１フォーマット、ＳＴＳ−Ｎｃフォーマット、ＰＯＨフォーマットを示す。ＰＯＨのＢ３バイトには、送信側で１フレーム前の同期転送モジュールのペイロード領域から演算したエラー検出符号ＢＩＰ−８（Ｂｉｔ  Ｉｎｔｅｒｌｅａｖｅｄ  Ｐａｒｉｔｙ−ｌｅｖｅｌ８）が格納されており、受信側で同期転送モジュールのペイロード領域からエラー検出符号ＢＩＰ−８を演算し、次のフレームの同期転送モジュールのＢ３バイトの値との一致検出をすることでパスエラー検出を行っている。
【００３１】
このため、本来ならばＲＰＲ部１６は図５（Ｂ）に示すように、時刻ｔ０から約２５ｍｓｅｃ経過した時刻ｔ４でパスエラーを検出してエラー検出信号をハイレベルにする。つまり、パスエラー検出時間とラインエラー検出時間の検出時間差は約１７ｍｓｅｃである。しかし、ＲＰＲ部１６は、ＣＰＵ部１７から時刻ｔ３にＲＰＲ冗長マスク信号を供給されているため、パスエラー検出信号は図５（Ｆ）に示すようにローレベルを維持する。従って、ＲＰＲ冗長機能が起動することはなく、ＳＯＮＥＴ冗長機能の動作によってＲＰＲのパスも障害復旧する。
【００３２】
ここで、図７（Ａ）に示すステーション１０，２０，３０は現用回線（Ｗ）と予備回線（Ｐ）によりリングネットワークを構成しており、ステーション１０らステーション３０データαを送出し、ステーション１０からステーション２０にデータβを送出している状態を考える。なお、図７において、図３と同一部分には同一符号を付す。
【００３３】
この状態で、図７（Ｂ）に示すように、ステーション１０，２０間の現用回線４０で障害が発生した場合、ステーション２０では、現用回線４０の光インタフェース部１１はラインエラーを検出してＣＰＵ部１７に通知する。これにより、ＣＰＵ部１７はＳＯＮＥＴ冗長機能を起動して、スイッチ部１５に現用回線の光インタフェース部１１から予備回線の光インタフェース部１２へのライン切替信号を供給すると共に、ＲＰＲ冗長マスク信号をＲＰＲ部１６に供給する。
【００３４】
これによって、ステーション２０では、ＳＯＮＥＴ冗長機能は動作するものの、ＲＰＲ冗長機能は起動されることはなく、図７（Ｃ）に示す状態となり、ステーション１０，２０間の利用可能帯域が減少することが防止され、余計なＲＰＲ冗長起動による信号の瞬断（ヒット）が発生することはない。
【００３５】
＜障害復旧時の動作＞
図８は、本発明の冗長機能制御方法の障害復旧時の動作を説明するための構成図を示す。同図中、図３と同一部分には同一符号を付す。図８において、現用回線４０の障害が復旧し、ＣＰＵ部１７にコマンド入力もしくはＷＴＲ（Ｗａｉｔ  Ｔｏ  Ｒｅｓｔｏｒｅ：障害復旧から切戻しを開始する時間）経過が通知されると、ＣＰＵ部１７は、スイッチ部１５に予備回線（Ｐ）の光インタフェース部５から現用回線（Ｗ）の光インタフェース部４に切戻すためのライン切替信号及びＲＰＲ冗長マスク信号を生成し、ライン切替信号をスイッチ部１５に供給し、ＲＰＲ冗長マスク信号をＲＰＲ部１６に供給する。
【００３６】
スイッチ部１５はＲＰＲ部１６への接続を予備回線（Ｐ）の光インタフェース部１２から現用回線（Ｗ）の光インタフェース部１１に切戻す。この切戻しに約２０ｍｓｅｃを要する。
【００３７】
ＲＰＲ部１６は、光インタフェース部１２から光インタフェース部１１への切戻し時に図６（Ａ）に示すＳＯＨ（Ｓｅｃｔｉｏｎ  ＯｖｅｒＨｅａｄ）に含まれＳＴＳ−１の開始位置を指示するポインタの付け替えを行う。ポインタの付け替えによってＳＴＳ−１のＰＯＨ開始位置が変更されるために、受信した同期転送モジュールのペイロード領域からエラー検出符号ＢＩＰ−８を演算した値が、次のフレームの同期転送モジュールのＢ３バイトの値との一致検出の際に不一致となってパスエラーが検出されることになる。
【００３８】
パスエラーが検出されるのは切戻し開始から約１０数ｍｓｅｃ経過した時点であるが、ＲＰＲ部１６は、パスエラー検出時点においてＣＰＵ部１７からＲＰＲ冗長マスク信号を供給されているため、パスエラー検出信号は出力されず、ＲＰＲ冗長機能が起動することはない。
【００３９】
＜二重障害発生時の動作＞
図９は、本発明の冗長機能制御方法の二重障害発生時の動作を説明するための構成図を示す。同図中、図３と同一部分には同一符号を付す。また、図１０は、二重障害発生時の動作を説明するための信号タイミングチャートを示す。図１０においては、ラインレートがＯＣ４８（約２．５Ｇｂｐｓ）、パスレートがＳＴＳ１２Ｃ（約６００Ｍｂｐｓ）、ＢＥＲ＝１×１０−５の場合を示している。
【００４０】
図９において、現用回線４０で障害が発生し予備回線４１に切替えている状態において、時刻ｔ１０で予備回線４１に障害が発生すると、光インタフェース部１２は約８ｍｓｅｃ後の時刻ｔ１１で光断等のラインエラーを検出し、図１０（Ａ）に示すようにラインエラー検出信号をハイレベルとする。光インタフェース部１２はラインエラー検出信号から図１０（Ｂ）に示すように時刻ｔ１２にハイレベルとなる割込信号を生成してＣＰＵ部１７に供給する。
【００４１】
ＣＰＵ部１７は既に光インタフェース部１１から割込信号を供給されているために、光インタフェース部１２から割込信号を供給された時点で二重障害が発生したことを認識し、図１０（Ｃ）に示すようにライン切替信号及びＲＰＲ冗長マスク信号をローレベルで維持し、ライン切替信号ＲＰＲ冗長マスク信号の出力を停止する。
【００４２】
これにより、スイッチ部１５はＲＰＲ部１６への接続を予備回線４１の光インタフェース部１２から現用回線（Ｗ）の光インタフェース部１１に切戻すＳＯＮＥＴ冗長機能は起動されない。
【００４３】
このため、ＲＰＲ部１６は図１０（Ｄ）に示すように、時刻ｔ１０から約２５ｍｓｅｃ経過した時刻ｔ１３でパスエラーを検出してエラー検出信号をハイレベルにして、ＲＰＲ冗長機能を動作させる。例えば図７（Ｂ）に示すように、ステーション１０，２０間の現用回線４０で障害が発生し図７（Ｃ）に示す状態において、予備回線４１で障害が発生した場合には、上記のＲＰＲ冗長機能の動作によって、ステーション１０からステーション３０を経てステーション２０に至るルートに切替えられ、ライン及びパスの障害復旧が行われる。
【００４４】
＜障害発生時の他の動作＞
図１１は、本発明の冗長機能制御方法の障害発生時の他の動作を説明するための構成図を示す。同図中、図３と同一部分には同一符号を付す。同図中、現用回線４０において障害が発生すると、光インタフェース部１１は光断等のラインエラーを検出し、ラインエラー検出信号をハイレベルとする。光インタフェース部１１はラインエラー検出信号から割込信号を生成してＣＰＵ部１７に供給する。
【００４５】
これにより、ＣＰＵ部１７はライン切替信号及びＢ３付替信号を生成してスイッチ部１５に供給する。スイッチ部１５はＲＰＲ部１６への接続を現用回線（Ｗ）の光インタフェース部１１から予備回線（Ｐ）の光インタフェース部１２に切替えるＳＯＮＥＴ冗長機能が動作する。更に、スイッチ部１５は受信した同期転送モジュールのペイロード領域からエラー検出符号ＢＩＰ−８を演算しており、Ｂ３付替信号が供給されると演算したエラー検出符号ＢＩＰ−８を用いて、次のフレームの同期転送モジュールのＢ３バイトの値を書替える。
【００４６】
このため、ＲＰＲ部１６で実行する、受信側で同期転送モジュールのペイロード領域から演算したエラー検出符号ＢＩＰ−８と、次のフレームの同期転送モジュールのＢ３バイトの値との一致検出では、両者は必ず一致してパスエラーは検出されない。従って、ＲＰＲ部１６は、パスエラー検出信号を出力せず、ＲＰＲ冗長機能が起動することはなく、ＳＯＮＥＴ冗長機能の動作によってＲＰＲのパスも障害復旧する。
【００４７】
ＲＰＲオーバーＳＯＮＥＴリングネットワークの運用形態は、例えばラインにＯＣ（Ｏｐｔｉｃａｌ  Ｃａｒｒｉｅｒ）１９２、４８、パスにＳＴＳ−１，３，１２のようにラインレートに対してパスレートが遅い形態で運用されることが多い。このため、本発明を用いることにより、上記ＲＰＲオーバーＳＯＮＥＴネットワークにおいて、回線障害発生時の切替え時、回線復旧による切戻し時に余計なＲＰＲ冗長が起動しないため、ＲＰＲ上の帯域を効率よく利用でき、余計な信号の瞬断も起きない。また、二重障害時にもＲＰＲ冗長が起動するため、ネットワークの信頼度を確保することができる。
【００４８】
なお、上記実施形態では、１＋１ＳＯＮＥＴ冗長機能に関して記載しているが、ＢＬＳＲ（Ｂｉｄｉｒｅｃｔｉｏｎａｌ  Ｌｉｎｅ  Ｓｗｉｔｃｈｅｄ  Ｒｉｎｇ）においても障害時にラインが切り替わる動作は同じなので同様の効果が得られ、本発明は上記実施形態に限定されるものではない。
【００４９】
なお、光インタフェース部１１〜１４が請求項記載のラインエラー検出手段に相当し、スイッチ部１５がスイッチ手段に相当し、ＲＰＲ部１６がパスエラー検出手段に相当し、ＣＰＵ部１７がマスク手段に相当し、スイッチ部１５がデータ書替え手段に相当する。
（付記１）
ラインレートに対してパスレートが遅い運用形態で運用されているリングネットワークにて、ラインエラー検出により現用回線から予備回線にライン切替えを行う第１の冗長機能とパスエラー検出によりパス切替えを行う第２の冗長機能との冗長機能制御方法において、
前記ラインエラー検出から前記パスエラー検出までの間に前記パスエラー検出のマスクを行って前記第２の冗長機能を停止させることを特徴とする冗長機能制御方法。
（付記２）
付記１記載の冗長機能制御方法において、
前記第１の冗長機能で前記現用回線から前記予備回線にライン切替えを行っている状態で前記予備回線のラインエラーを検出したとき前記パスエラー検出のマスクを停止して第２の冗長機能を動作させることを特徴とする冗長機能制御方法。
（付記３）
ラインレートに対してパスレートが遅い運用形態で運用されているリングネットワークを構成し、ラインエラー検出により現用回線から予備回線にライン切替えを行う第１の冗長機能とパスエラー検出によりパス切替えを行う第２の冗長機能を有する伝送装置において、
前記現用回線のラインエラーを検出するラインエラー検出手段と、
前記現用回線のラインエラー検出により前記現用回線から前記予備回線に切替えて前記第１の冗長機能を動作させるスイッチ手段と、
前記スイッチ手段の出力信号におけるパスエラーを検出するパスエラー検出手段と、
前記ラインエラー検出手段による前記現用回線のラインエラー検出から前記パスエラー検出手段によるパスエラーの検出までの間に前記パスエラー検出手段の動作をマスクするマスク手段を
有することを特徴とする伝送装置。
（付記４）
付記３記載の伝送装置において、
前記マスク手段は、前記スイッチ手段で前記予備回線から前記現用回線に切戻すとき、切戻し開始から前記パスエラー検出手段によるパスエラー検出までの間に前記パスエラー検出手段の動作をマスクすることを特徴とする伝送装置。
（付記５）
付記３または４記載の伝送装置において、
前記マスク手段は、前記スイッチ手段が前記現用回線から前記予備回線にライン切替えを行っている状態で前記予備回線のラインエラーを検出したとき前記パスエラー検出のマスクを停止して第２の冗長機能を動作させることを特徴とする伝送装置。
（付記６）
ラインレートに対してパスレートが遅い運用形態で運用されているリングネットワークを構成し、ラインエラー検出により現用回線から予備回線にライン切替えを行う第１の冗長機能とパスエラー検出によりパス切替えを行う第２の冗長機能を有する伝送装置において、
前記現用回線のラインエラーを検出するラインエラー検出手段と、
前記現用回線のラインエラー検出により前記現用回線から前記予備回線に切替えて前記第１の冗長機能を動作させるスイッチ手段と、
前記スイッチ手段の出力信号におけるパスエラーを検出するパスエラー検出手段と、
前記現用回線のラインエラー検出により切替えた予備回線のパスオーバーヘッド内のパスエラー検出用データを再計算してエラーなしの値に書替え前記パスエラー検出手段に供給するデータ書替え手段を
有することを特徴とする伝送装置。
【図面の簡単な説明】
【００５０】
【図１】従来のＲＰＲオーバーＳＯＮＥＴネットワークの冗長動作を説明するための図である。
【図２】従来の障害発生時と障害復旧時の動作を説明するための構成図である。
【図３】本発明の伝送装置を用いたＲＰＲオーバーＳＯＮＥＴネットワークの一実施形態の構成図である。
【図４】本発明の冗長機能制御方法の障害発生時の動作を説明するための構成図である。
【図５】障害発生時の動作を説明するための信号タイミングチャートである。
【図６】ＳＯＮＥＴの同期転送モジュールＳＴＳ−１フォーマット、ＳＴＳ−Ｎｃフォーマット、ＰＯＨフォーマットそれぞれを示す図である。
【図７】本発明のＲＰＲオーバーＳＯＮＥＴネットワークの冗長動作を説明するための図である。
【図８】本発明の冗長機能制御方法の障害復旧時の動作を説明するための構成図である。
【図９】本発明の冗長機能制御方法の二重障害発生時の動作を説明するための構成図である。
【図１０】二重障害発生時の動作を説明するための信号タイミングチャートである。
【図１１】本発明の冗長機能制御方法の障害発生時の他の動作を説明するための構成図である。
【符号の説明】
【００５１】
１０，２０，３０  ステーション
１１〜１４  光インタフェース部
１５  スイッチ部
１６  ＲＰＲ部
１７  ＣＰＵ部
４０，４２，４４  現用回線
４１，４３，４５  予備回線
【図１】
2007096949.tif 000003
【図２】
2007096949.tif 000004
【図３】
2007096949.tif 000005
【図４】
2007096949.tif 000006
【図５】
2007096949.tif 000007
【図６】
2007096949.tif 000008
【図７】
2007096949.tif 000009
【図８】
2007096949.tif 000010
【図９】
2007096949.tif 000011
【図１０】
2007096949.tif 000012
【図１１】
2007096949.tif 000013